(57)【特許請求の範囲】
【請求項１】
水性ベイト剤を収容しているボトル部と、上記ボトル部の上面部に設けられた第１開口部を介して上記ボトル部の内部と外部との間を連通する吸液部とが設けられたベイト剤収納部、および、
第１開口部の上方を覆いかつ上記ボトル部との間に隙間を空けて係止されるカバー部を備えており、
上記水性ベイト剤が２〜４質量％のホウ酸と、５〜２０質量％のグルコース、フルクトース、スクロースおよびマルトースからなる群より選択される１種または複数種の糖を含有し、ホウ砂を含んでいないホウ酸水溶液である害虫防除器具において、
上記カバー部が上記上面部を部分的に覆う場合の上記カバー部の端部から上記上面部までの距離が６．５ｍｍ以上であるか、または、上記カバー部が上記上面部の全面に覆う場合の上記カバー部の端部から上記上面部までの距離が６．５ｍｍ以上であり、
上記吸液部が、吸液芯、および吸液芯と前記水性ベイト剤との接触面積を一定に保つように吸液芯を包み込むシースを有し、前記シースの端部に、上記ボトル部の上面部に設けられた第１開口部と密着する栓部が構成されており、
第２開口部が上記ボトル部の上面部、または、栓部に設けられおり、上記ボトル部の内部に液体を封止するための通気性の液体封止部が、第２開口部を覆っていることを特徴とする害虫防除器具。
【発明の詳細な説明】
【技術分野】
【０００１】
本発明は、ホウ酸を有効成分とする水性ベイト剤および水性ベイト剤を収容した匍匐性衛生害虫防除器具に関する。
【背景技術】
【０００２】
匍匐性衛生害虫の一例であるゴキブリ類は、防除されるべき害虫として非常に重要である。ゴキブリ類に対して、これまでに種々の防除方法が採用されている。
【０００３】
特許文献１には、衛生害虫防除剤としてのベイト剤が開示されており、特許文献２には、害虫防除用の固形毒餌剤が開示されており、特許文献３には、害虫防除用の水性ベイト剤が開示されている。特許文献３に開示された水性ベイト剤は、液体状態であるため、よく知られているゲルタイプ(柔性固体状)、グミタイプ（弾性固体状）、粉剤などよりも調製が容易であり、ゴキブリ等に対する害虫防除剤としても優れている。特許文献４には、水に殺虫用物質を含有させた薬液を収容した容器の上部の開口部へ向けて、細長い形状の芯材を介して容器内部の薬液を吸い上げる構成を有する害虫駆除器が開示されている。
【０００４】
特許文献２に記載されているように、ホウ酸は、ゴキブリ忌避の目的で固形（いわゆるホウ酸ダンゴ）にて古くから用いられている。また、特許文献３および４には、水性ベイト剤の活性成分の例としてホウ酸が挙げられており、特許文献５には、ホウ酸水溶液におけるホウ酸濃度が３〜３０％であることが記載されている。そして、３％以上のホウ酸を用いることが教示されている特許文献５には、高濃度（３％以上）のホウ酸水溶液における保存中のホウ酸結晶の析出を抑制する目的でホウ酸水溶液にホウ砂を加える技術が開示されている。
【先行技術文献】
【特許文献】
【０００５】
【特許文献１】特開平１０−１３９６０４号公報（平成１０年５月２６日公開）
【特許文献２】特開２００７−０７０２７５号公報（平成１９年３月２２日公開）
【特許文献３】特開２０００−０５３５０５号公報（平成１２年２月２２日公開）
【特許文献４】特開２０１２−１５７３２２号公報（平成２４年８月２３日公開）
【特許文献５】特開平９−２６３５０７号公報（平成９年１０月７日公開）
【発明の概要】
【発明が解決しようとする課題】
【０００６】
しかしながら、特許文献５に記載されているように、ホウ酸は溶媒に溶けにくい。特許文献５では、ホウ酸の溶解性を向上させて高濃度のホウ酸溶液を得る手段が検討されている。このように、溶液形態のホウ酸を用いたゴキブリ類の防除技術は、ホウ酸をできるだけ高濃度で用いることが教示されており、その改良技術も、高濃度のホウ酸溶液にて発生する不具合の改善（ホウ酸析出の抑制）に過ぎない。すなわち、ホウ酸の析出を考慮しなくてもよい程度に低い濃度のホウ酸溶液をゴキブリ類の防除に有効に用いるための技術は、これまで一切知られていない。
【０００７】
本発明の目的は、低濃度のホウ酸溶液をゴキブリ類の防除に有効に用いるための技術を提供することにある。
【課題を解決するための手段】
【０００８】
本発明者らは、低濃度のホウ酸溶液を有効に機能するために考慮すべき事項を鋭意検討した結果、特定のホウ酸溶液を特定の構成を有する防除器具と組み合わせて用いることによって、高濃度のホウ酸溶液に匹敵するゴキブリ類防防除効果を奏するということを見出し、本発明を完成させるに至った。すなわち、本発明は以下の発明を包含する。
【０００９】
本発明に係る害虫防除器具は、水性ベイト剤を収容しているボトル部と、上記ボトル部の上面部に設けられた第１開口部を介して上記ボトル部の内部と外部との間を連通する吸液部とが設けられたベイト剤収納部、および、第１開口部の上方を覆いかつ上記ボトル部との間に隙間を空けて係止されるカバー部を備えており、上記水性ベイト剤がホウ酸水溶液であることを特徴としている。
【００１０】
上記構成により、害虫防除目的において従来想定されていなかった濃度範囲にてホウ酸水溶液を用いたとしても、従来用いられていた濃度に匹敵する効果を得ることができる。
【００１１】
本発明において、上記ホウ酸水溶液は、ホウ砂を含んでいないことが好ましい。本発明は、低濃度のホウ酸水溶液であっても十分な防除効果を奏する。しかも、その効果はホウ砂が含まれている場合よりもはるかに優れている。
【００１２】
上記カバー部は上記上面部を部分的に覆っても上記上面部の全面を覆ってもよく、上記カバー部が上記上面部を部分的に覆う場合は、上記カバー部の端部から上記上面部までの距離が６．５ｍｍ以上であることが好ましく、上記カバー部が上記上面部の全面を覆う場合は、上記上面部の端部から上記カバー部までの距離が６．５ｍｍ以上であることが好ましい。これにより、目的の害虫が吸液部へ接近する効率を格段に向上させることができる。さらに、ホウ酸水溶液による非常に高い防除効力が、これまで想定されなかった濃度範囲において得られる。
【００１３】
上記吸液部は吸液芯からなっていてもよいが、吸液芯と吸液芯を包み込むシースを有していることが好ましい。シースに包み込まれていることによって吸液芯の破損および／または変形を防止することができる。また、シースを介してボトル部と吸液部とを密着させることによって、ボトル部からホウ酸水溶液を漏出させることなく防除器具を使用することができる。この場合、シースの端部には、上記ボトル部の上面部に設けられた第１開口部と密着する栓部が構成されていることがより好ましい。さらに、シースが、ホウ酸水溶液との接触面積を一定に保つように吸液芯を包み込む構成を有している場合は、ボトル部内部に残存するホウ酸水溶液の量にかかわらず、吸液芯から吸い上げられるホウ酸水溶液の量を一定に保つことができる。
【００１４】
第２開口部が上記ボトル部の上面部または上記栓部に設けられていることが好ましく、これにより、器具を構成する際にボトル部の耐圧性を考慮することが必要でなくなる。さらに、上記ボトル部の内部に液体を封止するための通気性の液体封止部が、第２開口部を覆っていることが好ましく、これにより、容器の内圧が上昇した場合に水性ベイト剤が吸水芯を通して外部へ漏出することを防止し得る。
【００１５】
本発明に係る水性ベイト剤は、網翅目昆虫を防除するために、１〜５質量％のホウ酸を含有していることを特徴としており、水溶液形態であることが好ましい。本発明に係る水性ベイト剤は、ネオニコチノイド系化合物をさらに含有していてもよく、グルコース、フルクトース、スクロースおよびマルトースからなる群より選択される１種または複数種の糖をさらに含有していることが好ましく、上記糖が２５質量％以下であることが好ましい。また、本発明に係る水性ベイト剤は、Ｂ型粘度計で測定した粘度が２．８〜４ｍＰａ・ｓ（２５℃、６０回転、５０秒後）の範囲内であることが好ましい。
【発明の効果】
【００１６】
本発明は、目的の害虫に水性ベイト剤を大量に吸飲させることができると同時に、水性ベイト剤からのホウ酸の結晶析出を抑えることができ、さらには、目的の害虫が摂取する水性ベイト剤による吸液部での目詰まりを防止すること、保存時の凍結を回避することを実現する。
【図面の簡単な説明】
【００１７】
【図１】本発明の一実施形態の全体構成を示す斜視図である。
【図２ａ】本発明の一実施形態の全体構成を示す斜視図である。
【図２ｂ】本発明の一実施形態の全体構成を示す側面図である。
【図２ｃ】本発明の一実施形態の全体構成を示す断面図である。
【図３ａ】本発明の一実施形態の要部構成を示す斜視図である。
【図３ｂ】本発明の一実施形態の要部構成を示す断面図である。
【図３ｃ】本発明の一実施形態の要部構成を示す断面図である。
【図４ａ】本発明の一実施形態の要部構成を示す概略図である。
【図４ｂ】本発明の一実施形態の要部構成を示す概略図である。
【図５】本発明の一実施形態の要部構成を示す上方図および斜視図である。
【図６ａ】本発明の一実施形態の要部構成を示す斜視図である。
【図６ｂ】本発明の一実施形態の要部構成を示す断面図である。
【図６ｃ】本発明の一実施形態の要部構成を示す断面図である。
【図６ｄ】本発明の一実施形態の要部構成を示す断面図である。
【発明を実施するための形態】
【００１８】
〔１〕水性ベイト剤
本発明は、地上を歩き回る性質（すなわち匍匐性）の衛生害虫（以下、匍匐性衛生害虫という。）を防除するための水性ベイト剤（すなわち、匍匐性衛生害虫防除用水性ベイト剤）を提供する。特に、水性ベイト剤としてホウ酸水溶液を用いることによって、本発明は網翅目昆虫を効率よく防除することができる。
【００１９】
本発明の水性ベイト剤は、ホウ酸を有効成分として含有している。ホウ酸は、古くからゴキブリ忌避剤の有効成分として用いられており、その形態としてはいわゆる「ホウ酸ダンゴ」がよく知られている。
【００２０】
本発明の水性ベイト剤の対象とする害虫は、網翅目昆虫（チャバネゴキブリ、クロゴキブリ、ワモンゴキブリ、トビイロゴキブリ、コバネゴキブリ等）であり、本発明の水性ベイト剤は特にチャバネゴキブリ、クロゴキブリ、ワモンゴキブリに対して有効である。
【００２１】
本発明の水性ベイト剤を構成するための溶媒としては水が必須であり、本発明の水性ベイト剤は、基本的にホウ酸および水から構成される。そして、標的害虫が摂食しやすいように液体状態を保持していることが好ましく、本発明の水性ベイト剤の形態は水溶液、分散液、縣濁液であることが好ましく水溶液であることがより好ましい。
【００２２】
本発明の水性ベイト剤を構成する水は、特段の不純物（例えば、標的害虫の忌避効果を阻害する物質）が含まれていなければ精製されていなくてもよいが、蒸留水やイオン交換水などの精製水が好ましく使用される。
【００２３】
溶媒として水とともに水溶性有機溶剤が用いられてもよく、その場合、該有機溶剤としては、エタノール、エチレングリコール、プロピレングリコール、グリセリン等が挙げられるが、水と相溶性があればこれらに限定されない。
【００２４】
媒体として、水とともに水溶性有機溶剤を使用する場合、水溶性有機溶剤が多過ぎると水性ベイト剤としての特徴が損なわれることから、通常は水性ベイト剤中の含量として５０質量％以下であるが、水含量と水溶性有機溶剤含量の対比において、水溶性有機溶剤の含量よりも水の含量が多いことが望ましい。
【００２５】
上記水性ベイト剤中の有効成分としてのホウ酸は１〜５質量％であることが好ましく、２〜３質量％であることがより好ましい。なお、本発明の水性ベイト剤は、低濃度のホウ酸水溶液であっても十分な防除効果を奏するが、ホウ酸の溶解度を向上させるための周知技術を組み合わせて用いてもよい。特許文献５に記載されるように、ホウ酸の析出を抑制するためにホウ砂が添加されてもよいが、後述する実施例にて示すようにホウ砂の添加は本発明の効果を抑制するので、本発明の水性ベイト剤はホウ砂を含まないことが好ましい。
【００２６】
ホウ酸以外の害虫防除用の有効成分が、水または水と水性媒体との混合溶剤に溶解された水溶液もまた本発明に含まれる。本発明の水性ベイト剤の有効成分としてホウ酸に追加して使用可能なものとしては、ネオニコチノイド系化合物、例えば、ニテンピラム（ｎｉｔｅｎｐｙｒａｍ）、アセタミプリド（ａｃｅｔａｍｉｐｒｉｄ）、イミダクロプリド（ｉｍｉｄａｃ１ｏｐｒｉｄ）、チアメトキサム（ｔｈｉａｍｅｔｈｏｘａｍ）、チアクロプリド（ｔｈｉａｃｌｏｐｒｉｄ）、ジノテフラン（ｄｉｎｏｔｅｆｕｒａｎ）、クロチアニジン（ｃｌｏｔｈｉａｎｉｄｉｎ）等が挙げられるが、本発明に用いられる水性ベイト剤の有効成分としてホウ酸に追加して使用できるものはこれらに限定されない。
【００２７】
本発明の水性ベイト剤は、非飛散性または非揮発性であることが好ましく、有効成分および水の他に食餌成分、誘引剤および／または芳香剤、界面活性剤、防腐剤、紫外線吸収剤、水溶性有機溶剤およびｐＨ調節剤などの他の成分を適宜含有していてもよい。
【００２８】
水性ベイト剤に好ましい食餌成分としては、糖、脂質、デンプン、タンパク質、アミノ酸等が挙げられるがこれらに限定されず、具体的な成分としても特に限定されず、当該分野において公知の種々の物質が使用され、その含量は、水性ベイト剤中の含量として通常２５質量％以下である。好ましくは５〜２０質量％、より好ましくは７〜１５質量％の天然甘味料が水性ベイト剤に含まれ、天然甘味料としては、グルコース（ブドウ糖）、フルクトース（果糖）、スクロース（ショ糖）、マルトース（麦芽糖）等からなる群より選択される糖が単独または組み合わせて用いられることが好ましい。
【００２９】
その他、本発明の水性ベイト剤は、目的の害虫を誘引する誘引剤（および／または芳香剤）を含んでいてもよい。好ましい誘引剤としては、フレーバー類、動植物のエキス類、フェロモン類等が挙げられるがこれらに限定されず、具体的な成分としても特に限定されず、当該分野において公知の種々の物質を、単独で、あるいは適宜組み合わせて用いればよい。
【００３０】
誘引剤や芳香剤を使用する場合、その使用量は任意であるが、一般的には水性ベイト剤中の含量としてそれぞれ１質量％以下、好ましくは０．５質量％以下である。
【００３１】
界面活性剤を使用する場合、その使用量は、水性ベイト剤中の含量として１０質量％以下であることが好ましく、３質量％以下であることがより好ましい。
【００３２】
また、水性ベイト剤は、必要に応じて、防腐剤（酸化防止剤、保存剤等）、香料等を含んでいてもよく、これらを含む場合にその含量は０．５質量％程度以下である。これらについても、具体的な成分は特に限定されず、当該分野において公知の種々の物質を用いればよい。
【００３３】
その他、必要に応じて色素など水性ベイト剤として通常使用される上記例示以外の各種成分を適宜含有していても差し支えない。
【００３４】
本発明の水性ベイト剤は、特に、Ｂ型粘度計で測定した水性ベイト剤の粘度が２．８〜４ｍＰａ・ｓ（２５℃、６０回転、５０秒後）の範囲内であることが好ましく、３．１〜４ｍＰａ・ｓの範囲内であることがより好ましい。これにより、水性ベイト剤の有効成分の効力が最大化されるだけでなく、結晶化を抑え、後述する本発明の防除器具における吸液芯の目詰まりを防止することができる。
【００３５】
〔２〕防除器具
本発明の水性ベイト剤は、後述する防除器具を用いて使用することによって、水性ベイト剤の有効成分の効力が最大化される。すなわち、本発明は、上述した水性ベイト剤を収容した防除器具を提供する。
【００３６】
薬液を収容した匍匐性衛生害虫防除器具を、屋内、特に人の居住空間内に配置する際には、配置した器具に触れる際に薬液が人に接触しないことや、器具が転倒した際に薬液が漏出しないことが強く求められている。本発明の防除器具を用いれば、薬液が人に接触したり、薬液が漏出したりすることを回避することができる。
【００３７】
以下、本発明の実施の形態について説明する。図１は、本発明の実施の形態に係る防除器具１０の斜視図であり、図２ａ〜図２ｃはそれぞれ、本発明の実施の形態に係る防除器具１０の斜視図、側面図および断面図である。
【００３８】
本実施形態の防除器具１０は、ベイト剤収納部９とベイト剤収納部９を覆うカバー部７とを備えている。ベイト剤収納部９は、ボトル部１と、ボトル部１の内部に水性ベイト剤６を収容した際にその水性ベイト剤６をボトル部１の内部から外部へ吸い出すための吸液部２とを備えており、ボトル部１の上面部１ａおよび吸液部２がカバー部７によって覆われている。
【００３９】
ボトル部１は、防除器具１０を床面上に配置する際に床面と対向する底部１ｂと、床面上に対向させることが意図されない上面部１ａとからなり、ボトル部１の上面部１ａには第１開口部（微小孔）３が設けられている。吸液部２は、第１開口部３を封止しかつ第１開口部３を介してボトル部１の内部と外部とを連通させる構成を有している。
【００４０】
吸液部２は吸液芯のみからなっていてもよいが、吸液芯２ｂと吸液芯２ｂを包み込むシース２ａを有していることが好ましく、シース２ａに包み込まれていることによって吸液芯２ｂの破損および／または変形を防止することができる。また、シース２ａが、水性ベイト剤６との接触面積を一定に保つように吸液芯２ｂを包み込む構成を有している場合は、ボトル部内部に残存する水性ベイト剤６の量にかかわらず、吸液芯から吸い上げられる水性ベイト剤６の量を一定に保つことができる。さらに、シース２ａを介してボトル部１と吸液部２とを密着させることによって、ボトル部１から水性ベイト剤６を漏出させることなく防除器具１０を使用することができる。この場合、シース２ａの端部には、ボトル部１の上面部１ａに設けられた第１開口部３と密着する栓部２ｃが構成されていることがより好ましい。
【００４１】
図１および図２ｃには、シース２ａおよびシース２ａの内腔を嵌通する吸液芯２ｂが設けられた吸液部２が示されており、吸液芯２ｂは、ボトル部１の内部方向および外部方向の端面（それぞれ内部端および外部端ともいう。）とシース２ａの内腔と密接する側面とを有しており、吸液芯２ｂの外部端の近傍の、シース２ａの端部に、第１開口部３と密着する栓部２ｃが構成されている。
【００４２】
ボトル部１の内部に水性ベイト剤６を収容し、吸液部２を、第１開口部３を介してボトル部１の外部から内部へ向けて挿入し、栓部２ｃが第１開口部３と密着することによって、吸液芯２ｂの内部端が水性ベイト剤６と接し、吸液芯２ｂの外部端がボトル部１の外部に面する。吸液部２によって第１開口部３が封止されており、かつシース２ａの内腔が吸液芯２ｂと密接しているため、ボトル部１の内部と外部との間は、吸液芯２ｂによってのみ連通されており、ボトル部１の内部の水性ベイト剤６は吸液芯２ｂを通ってボトル部１の外部へ吸い出される。
【００４３】
このように、本実施形態の防除器具１０は、ボトル部１の上面部１ａへ接近した匍匐性衛生害虫に、吸液部２の吸液芯２ｂの外部端の端面へ吸い上げられた水性ベイト剤６を舐めさせることによって殺虫する、匍匐性衛生害虫を防除する器具である。
【００４４】
本実施形態の防除器具１０は、ボトル部１から水性ベイト剤６を漏出させることなく使用することができる器具である。ボトル部１の形状は、害虫が吸液芯２ｂの外部端へ到達することができればよく、図１等に示される半円球形状に限定されない。ボトル部１の内部へ収容する水性ベイト剤６の量や、外観に関する使用者の嗜好を考慮して設計されてもよく、円柱形状、角柱形状（立方体または直方体）、あるいは円錐または角錐の形状であってもよい。
【００４５】
防除器具１０は、チャイルドプルーフとして機能するカバー部７を備えているので、ベイト剤収納部９の外表面に露出している吸液部２に乳幼児が触れる可能性を排除することができる。
【００４６】
カバー部７は、第１開口部３の上方を覆いかつボトル部１との間に隙間を空けてボトル部１と係止されている。カバー部７は、ボトル部１に繋ぎ止めるための係止部７ａを有している。図２ａ〜図２ｃに示した防除器具１０では、カバー部７の辺縁部に形成された凸部７ｂ（脚部７ｂ’および引掛け部７ｂ’’）が係止部７ａと連絡しており、凹部が、防除器具１０の外部から吸液部２へ目的の害虫が接近するための侵入口８を形成している。
【００４７】
なお、図２ａ〜図２ｃには、ボトル部１の上面部１ａの形状に沿って、その全面を覆う構造のカバー部７を示したが、カバー部７は、乳幼児の指がボトル部１の吸液部２に触れることを避けるように第１開口部３の上方を覆いかつボトル部１に係止されていればよく、かつ目的の害虫が吸液部２へ接近することを妨げないのであれば、上面部１ａの全面が覆われていても上面部１ａの一部が覆われていてもよい。
【００４８】
ボトル部１とカバー部７との関係を示す概略図を図４ａ〜図４ｂに示す。カバー部７が上面部１ａを部分的に覆う場合（図４ａ）、すなわち、侵入口８が上面部１ａとカバー部７とによって規定される場合、カバー部７の辺縁部に凹部および／または凸部は必要ない。ボトル部１とカバー部７との間の隙間の距離ｄ１は、目的の害虫が出入りしやすい距離（３ｍｍ以上）であればよいが、カバー部７において侵入口８を規定する端部７ｃとボトル部１との最短距離ｄ２を６．５ｍｍ以上にすると、目的の害虫が吸液部２へ接近する効率を格段に向上させることができる。
【００４９】
また、カバー部７が上面部１ａの全面を覆う場合（図４ｂ）、すなわち、侵入口８が床面とカバー部７とによって規定される場合は、侵入口８として機能する凹部がカバー部７の辺縁部に設けられていればよい。ボトル部１とカバー部７との間の隙間の距離ｄ１、およびカバー部７において侵入口８を規定する端部７ｃと床面との距離ｄ３は、目的の害虫が出入りしやすい距離（３ｍｍ以上）であればよいが、ボトル部１の端部１ｃとカバー部７との最短距離ｄ４を６．５ｍｍ以上にすると、目的の害虫が吸液芯２ｂへ接近する効率を格段に向上させることができる。
【００５０】
特に、上述したｄ２〜ｄ４が１３ｍｍ未満であることが好ましい。このような構成を有していることにより、防除器具１０は、目的の害虫が吸液部２へ接近することを妨げることなく、乳幼児が誤って吸液部２に触れることを防止することができる。
【００５１】
なお、カバー部７は、ボトル部１と同様にその形状が円柱形状、角柱形状（立方体または直方体）、あるいは円錐または角錐の形状であってもよく、図１〜図２に示された形状だけでなく図５に示された形状であってもよい。図５に示したカバー部には図中Ｚ方向に垂直な方向（主にＸ方向）に侵入口８が形成されており、吸液部２と対向する領域を仮想線にて示した。
【００５２】
また、防除器具１０の使用時までにボトル部１の水性ベイト剤６が蒸散することを避けるために、使用者によって容易に脱離し得るキャップまたはシールが使用時まで吸液部２の外端部を覆っていることが好ましい。このような構成を採用する場合、防除器具１０はボトル部１およびカバー部７が分離して提供されてもよく、防除器具１０使用時に、カバー部７は、キャップまたはシールを脱離したボトル部１に係止されればよい。
【００５３】
図３ａ〜図３ｃに示すように、ボトル部１の上面部１ａには、第２開口部４が設けられていてもよく、この場合、ボトル部１の内部に水性ベイト剤６を封止するための通気性の液体封止部５が、第２開口部４を覆っていることが好ましい。
【００５４】
特許文献４には、上記容器本体の開口部との嵌合による密着手段を有する蓋体を具備しているため、誤って転倒させたとしても容器本体内の薬液が漏洩しない旨が記載されている。特許文献４にはまた、開口部に嵌合する蓋体が容器本体を密閉すると内圧が下がり薬液が芯材で吸液されにくくなるため、薬液が常に安定して芯材で吸液されるように、蓋体は、薬液を通さないが空気を通す微小な孔を１つ又は複数有していることが好ましい旨が記載されている。
【００５５】
特許文献４に記載の害虫駆除器は、開口部と蓋体とが嵌合によって密着しているため、容器が転倒したとしても開口部と蓋体との間から薬液が漏出しない。そして、蓋体に形成された微小な孔は、容器が転倒していない状態であれば薬液が孔に接していないので薬液を通さないが空気を通す構成といえる。しかし、容器が転倒して薬液が孔に接している状態であれば、よほど速やかに正立させない限り薬液が孔から漏出することは明らかである。
【００５６】
また、特許文献４では、容器の内圧の低下に起因する不都合が考慮されているが、内圧が上昇した場合に薬液が芯材を通して外部へ溢れる可能性について対策が採られていない。実際、特許文献４に記載の害虫駆除器の蓋体上面には、浸み出した薬液を留める液溜りが設置されており、このことは薬液が浸み出すことを前提とした構成であることを示している。
【００５７】
図３ａ〜図３ｃに示した防除器具１０は、ボトル部１の内部に水性ベイト剤６を収容し、吸液部２を、第１開口部３を介してボトル部１の外部から内部へ向けて挿入し、栓部２ｃが第１開口部３と密着することによって、吸液芯２ｂの内部端が水性ベイト剤６と接し、吸液芯２ｂの外部端がボトル部１の外部に面する。吸液部２によって第１開口部３が封止されており、かつシース２ａの内腔が吸液芯２ｂと密接しているため、ボトル部１の内部と外部との間は、吸液芯２ｂおよび第２開口部４によってのみ連通されており、ボトル部１の内部の水性ベイト剤６は吸液芯２ｂを通ってボトル部１の外部へ吸い出され、ボトル部１の内外の気体は第２開口部４を介してボトル部１の内外を移動し得る。
【００５８】
通気性の液体封止部５が、第２開口部４を覆っているため、ボトル部１が転倒したとしてもボトル部１の内部に収容された水性ベイト剤６が第２開口部４から漏出しない。第２開口部４は、底面部以外の領域に設けられていればよく、ボトル部１の上面部１ａに限定されない。すなわち、第２開口部４は栓部２ｃに設けられていてもよい。第２開口部４が栓部２ｃに設けられている構成を図３ｃに示す。
【００５９】
本実施形態の防除器具１０は、第２開口部４が設けられていることにより、ボトル部１の耐圧性が考慮されなくてもよい。さらに、容器を配置した室温の上昇に伴って容器が加温されたとしても、膨張したボトル部１内部の空気は第２開口部４からボトル部１外部へ追い出されるため、ボトル部１の内部の水性ベイト剤６が吸液芯２ｂを介してボトル部１の外部へ漏出することがない。なお、第２開口部４（および液体封止部５）は、乳幼児の接触による破損を避けるため、ボトル部１の上面部１ａおよび吸液部２と同様にカバー部７によって覆われていることが好ましい。
【００６０】
ボトル部１の素材は、収容される水性ベイト剤６に影響を及ぼさない限り、特に限定されず、例えば、ポリエステル樹脂（例えばポリエチレンテレフタレート（ＰＥＴ）等）、オレフィン樹脂（例えばポリプロピレン（ＰＰ）、ポリエチレン（ＰＥ）等）、ガラス、セラミックスなどが好適に用いられる。また、内部に残存する水性ベイト剤６の量を目視するために、ボトル部１は透明であってもよい。
【００６１】
シース２ａの素材もまた、収容される水性ベイト剤６に影響を及ぼさない限り、特に限定されず、ボトル部１の素材として例示したものが用いられてもよい。シース２ａを設けることにより、露出された吸液芯２ｂの表面積を低減させ、浸み出しを防止することができる。容器が転倒した場合の浸み出しを防止することはいうまでもなく、正立している際のボトル部１の内圧の変動に伴う浸み出しも防止することができる。シース２ａの長さは、内部に残存する水性ベイト剤６の量が多い局面から少ない局面にわたって、水性ベイト剤６と吸液芯２ｂとの接触面積が一定に保たれるように設定されればよく、シース２ａから露出している吸液芯２ｂの長さが短いほど上記接触面積は一定に保たれる。すなわち、ボトル部１の内部にて、吸液芯２ｂの側面の全てがシース２ａに覆われていることが好ましく、シース２ａの端部は吸液芯２ｂの内部端の位置と一致することがより好ましい。この構成により、吸液芯２ｂは内部端の端面でのみ水性ベイト剤６と接触する。
【００６２】
ただし、この場合、吸液芯２ｂの内部端と水性ベイト剤６との接触を妨げないためには、シース２ａおよび吸液芯２ｂをボトル部１の底部１ｂから離間して、底部１ｂに接触させないようにしなければならない。
【００６３】
一方、吸液芯２ｂの内部端をボトル部１の底部１ｂに接触させることによって、吸液部２の位置を安定的に保持することができるとともに、ボトル部１の内部に収容された水性ベイト剤６を余すところなく吸液芯２ｂの側面から吸い上げることができる。この場合、吸液芯２ｂの側面をシース２ａから露出させることが必要であるが、シース２ａの先端から突出する吸液芯２ｂの長さをできるだけ短くすることによって、水性ベイト剤６の残存量が少量の場合を除いて水性ベイト剤６と吸液芯２ｂとの接触面積が一定に保つことができ、かつ、ボトル部１の内部に収容された水性ベイト剤６を余すところなく吸液芯２ｂの側面から吸い上げることができる。シース２ａの先端から突出する吸液芯２ｂの長さは、単位時間あたりに吸い上げられるべき水性ベイト剤６の量に基づいて、吸液芯２ｂの素材を考慮した上で設定されればよい。例えば、ボトル部１の底面部１ｂは、上記吸液芯２ｂの下端の直下が、辺縁部よりも下方へ押し下げられた形状であってもよい（図示せず）。これにより、シース２ａの先端から突出する吸液芯２ｂの近傍に水性ベイト剤６が集められるので、水性ベイト剤６の残存量を極めて少なくすることができる。
【００６４】
吸液芯２ｂには、吸液性の素材が用いられればよく、合成繊維（例えば、ポリエチレン、ポリプロピレン、ポリエステル、ナイロン等）、天然繊維（例えば、綿、麻等）、またはこれらの複合材などからなる不織布、ガラス繊維等が挙げられ、好ましくは、ポリエチレン、ポリプロピレン、ポリエステルからなる不織布が用いられる。吸液芯２ｂの長さは、第１開口部３から底部１ｂの最深部までの長さと栓部２ｃから突出する高さを考慮して適宜設定されればよい。
【００６５】
栓部２ｃは、シース２ａの一部として一体構成されていても、シース２ａと別部材がシース２ａと接着された構成であってもよい。また、吸液部２によって第１開口部３を封止するに必要な構造として、第１開口部３および栓部２ｃには、例えば溝、突起等がそれぞれ対応して構成されていてもよい。さらに、吸液部２による第１開口部３の封止を容易にするために、シース２ａの全体または第１開口部３との接触面は弾性素材によって構成されていてもよく、第１開口部３の栓部２ｃとの接触面は、弾性素材によって構成されていてもよい。
【００６６】
なお、上述したように、吸液部２は吸液芯のみからなっていてもよい（図６ａ〜図６ｃ）。この場合、ベイト剤収納部９は、ボトル部１の上面部１ａに設けられた第１開口部３を介してボトル部１の内部と外部との間を連通する吸液部２（吸液芯２ｂ）が、ボトル部１の内部に収容されている水性ベイト剤を、ボトル部１の外向きの端部へ吸い上げる構成であればよい。また、この構成は、吸液部２を構成する栓部２ｃが、シース２ａの有無にかかわらず、ボトル部１の上面部１ａと一体成型されている態様ともいえる（図６ｂおよび図６ｄ）。
【００６７】
第２開口部４を封止する通気性の液体封止部５は、通気性があり、水を通さない性能を有していれば、材質や形状は特に限定されず、本実施形態の防除器具１０の構成を容易にするために、通気性と防水性を兼ね備えているもの（例えば、含フッ素ポリエチレン系樹脂のフィルム）を、接着層を介してボトル部１の上面部１ａまたは栓部２ｃに固着させる構成であってもよい。
【００６８】
また、防除器具１０の使用時までにボトル部１の水性ベイト剤６が蒸散することを避けるために、使用者によって容易に脱離し得るキャップまたはシールが使用時まで吸液芯２ｂの外端部および液体封止部５を覆っていることが好ましい。
【００６９】
本発明に係る防除器具は、ボトル部、吸液部、カバー部を使用時に組み立てる形態にて提供されてもよく、その場合、上記ボトル部に収容されるべきホウ酸水溶液とともにキットの形態にて提供される。具体的には、本発明は、水性ベイト剤を収容するためのボトル部と、上記ボトル部の上面部に設けられた第１開口部を介して上記ボトル部の内部と外部との間を連通する吸液部と、第１開口部の上方を覆いかつ上記ボトル部との間に隙間を空けて係止されるカバー部と、水性ベイト剤として上記ボトル部に収容されるべきホウ酸水溶液、とが含まれている防除器具キットを提供し得る。この場合、ホウ酸水溶液を収納したボトル部に吸液部を装着したベイト剤収納部がキットに含まれていてもよい。具体的には、本発明は、水性ベイト剤を収容するためのボトル部と、上記ボトル部の上面部に設けられた第１開口部を介して上記ボトル部の内部と外部との間を連通する吸液部とが設けられたベイト剤収納部、および、第１開口部の上方を覆いかつ上記ボトル部との間に隙間を空けて係止されるカバー部を備えている防除器具、ならびに水性ベイト剤として上記ボトル部に収容されるべきホウ酸水溶液が含まれている防除器具キットを提供し得る。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７１】
以下、実施例により本発明をさらに詳細に説明するが、本発明は、これに限定されるものではない。
【実施例１】
【００７２】
〔試験１：ホウ酸濃度と効力との関係〕
樹脂製容器（外径４６ｃｍ×３６ｃｍ×高さ１５ｃｍ）を用意し、この樹脂製容器の内の底面に紙ウェスを敷いた。ゴキブリの隠れ場所として、波型の紙製のシェルターを２枚重ねて設置した。シェルターの上にポリカップの蓋（直径１０ｃｍ）を設置し、水を含ませた脱脂綿を置いた。逃亡防止のため、樹脂製容器の内部側面にフルオンを予め塗っておいた。
【００７３】
クロゴキブリ２０頭（オス１０頭、メス１０頭）を樹脂製容器内に放飼し、樹脂製容器上部をナイロンゴースで覆い、約２４時間馴化させた。放飼の翌日に、防除器具１個および固形飼料１個を上記樹脂製容器の内部に配置した。
【００７４】
本試験にて用いる防除器具は、図１および図２ａ〜図２ｃに示すように、ドーム状構造のベイト剤収納部の上方からカバー部によって覆われて構成されている。カバー部の辺縁部の最下端からベイト剤収納部までの最短距離は８ｍｍに設定している。ベイト剤収納部には、底部の径が７４ｍｍ、上面部の最大高が３７ｍｍのボトル部（最大容量６０ｍＬ）の上面部に径５ｍｍの微小孔が設けられており、ボトル部の内部には水性ベイト剤が注入された後に、吸液部を微小孔からボトル部へ底部まで押し込むことによって形成されている。吸液部の吸液芯には、ポリプロピレン製不織布を用いた。
【００７５】
ベイト剤ａ１〜ａ３を異なる防除器具にそれぞれ３０ｍＬずつ収容し、それぞれを効力試験に供した。ベイト剤ａ１は、ホウ酸（関東化学・試薬特級）２ｇ、ショ糖（関東化学）１０ｇをガラス瓶に入れ、全量が１００ｇになるまでイオン交換水を加え、撹拌して溶質を溶解させた。ベイト剤ａ２およびベイト剤ａ３は、ホウ酸の量をそれぞれ３ｇおよび４ｇに変更した以外ベイト剤ａ１と同様に作製した。
【００７６】
防除器具を配置した７日後に樹脂製容器内の死虫数を調べ、算出した死虫率を以下に示す。なお、試験期間中、樹脂製容器内の気温を約２５℃に維持した。処理区は各２反復、無処理区は１反復実施した。
【００７７】
【表１】
0006418808.tif 000002
【００７８】
〔試験２：糖濃度と効力との関係〕
３質量％ホウ酸水溶液（ベイト剤ｂ１）、３質量％ホウ酸および１０質量％ショ糖の水溶液（ベイト剤ｂ２）、３質量％ホウ酸および２０質量％ショ糖の水溶液（ベイト剤ｂ３）、３質量％ホウ酸および４０質量％ショ糖の水溶液（ベイト剤ｂ４）を、上述した手順に従って作製し、それぞれを異なる防除器具に３０ｍＬずつ収容し、試験１と同様に効力試験に供した。
【００７９】
防除器具を配置した７日後における死虫率を以下に示す。
【００８０】
【表２】
0006418808.tif 000003
【００８１】
〔試験３：糖濃度と粘度との関係〕
ホウ酸濃度が３質量％でありかつショ糖濃度が０質量％、２．５質量％、５質量％、７.５質量％、２０質量％または３０質量％の水溶液（それぞれベイト剤ｃ１〜ｃ６）を、上述した手順に従って作製し、ベイト剤の粘度を測定した。測定機器には、東機産業株式会社製  Ｂ型粘度計（ＲＢ−８５Ｌ型、ローターＮｏ．１）を用い、測定条件は２５℃、６０回転、５０秒で行った。
【００８２】
【表３】
0006418808.tif 000004
【００８３】
〔試験４：ベイト容器内での溶液の凍結状態〕
ホウ酸濃度が３質量％でありかつショ糖濃度が０質量％、２．５質量％、５質量％、７.５質量％、１０質量％、１５質量％、２０質量％、３０質量％または４０質量％の水溶液（それぞれベイト剤ｄ１〜ｄ９）を、上述した手順に従って作製し、カバー部を外した防除器具に３０ｍＬずつ収容し、パラフィルムで密閉した防除器具を冷凍庫にて−５℃にて３日間保管した際のベイト剤の凍結状態を調べた（＋；凍結した、−；凍結せず）。
【００８４】
【表４】
0006418808.tif 000005
【００８５】
〔試験５：糖濃度と吸液芯での目詰まりとの関係〕
３質量％ホウ酸および１０質量％ショ糖の水溶液（ベイト剤ｅ１）、３質量％ホウ酸および２０質量％ショ糖の水溶液（ベイト剤ｅ２）、３質量％ホウ酸および３０質量％ショ糖の水溶液（ベイト剤ｅ３）、３質量％ホウ酸および４０質量％ショ糖の水溶液（ベイト剤ｅ４）、５質量％ホウ酸および１０質量％ショ糖の水溶液（ベイト剤ｅ５）を、上述した手順に従って作製し、カバー部を外した防除器具に３０ｍＬずつ収容し、防除器具を室温で放置した際のベイト剤の重量変化を経時的に測定し、４日後から７日後までの間の水の蒸散量を算出した。
【００８６】
【表５】
0006418808.tif 000006
【００８７】
吸液芯中でホウ酸が結晶化することによって目詰まりが発生し、それにより水の蒸発が抑制されたと考えられる。
【００８８】
〔試験６：〕
２質量％ホウ酸および１０質量％ショ糖の水溶液（ベイト剤ｆ１）、３質量％ホウ酸および１０質量％ショ糖の水溶液（ベイト剤ｆ２）、３質量％ホウ酸、３質量％ホウ砂および１０質量％ショ糖の水溶液（ベイト剤ｆ３）を、上述した手順に従って作製し、それぞれを異なる防除器具に３０ｍＬずつ収容し、試験１と同様に効力試験に供した。
【００８９】
防除器具を配置した４日後および７日後における死虫率を以下に示す。
【００９０】
【表６】
0006418808.tif 000007
【産業上の利用可能性】
【００９１】
本発明を用いれば、匍匐性衛生害虫であるゴキブリ等の網翅目昆虫を安全にかつ効率よく防除することができる。
【符号の説明】
【００９２】
１        ボトル部
１ａ      上面部
１ｂ      底部
１ｃ      端部
２        吸液部
２ａ      シース
２ｂ      吸液芯
２ｃ      栓部
３        第１開口部（微小孔）
４        第２開口部
５        液体封止部
６        水性ベイト剤（ホウ酸水溶液）
７        カバー部
７ａ      係止部
７ｂ      凸部
７ｃ      端部（凹部）
８        侵入口
９        ベイト剤収納部
１０        防除器具
【図１】
0006418808.tif 000008
【図２ａ】
0006418808.tif 000009
【図２ｂ】
0006418808.tif 000010
【図２ｃ】
0006418808.tif 000011
【図３ａ】
0006418808.tif 000012
【図３ｂ】
0006418808.tif 000013
【図３ｃ】
0006418808.tif 000014
【図４ａ】
0006418808.tif 000015
【図４ｂ】
0006418808.tif 000016
【図５】
0006418808.tif 000017
【図６ａ】
0006418808.tif 000018
【図６ｂ】
0006418808.tif 000019
【図６ｃ】
0006418808.tif 000020
【図６ｄ】
0006418808.tif 000021